(57)【要約】　　　（修正有）【課題】コネクタが機器から外されるとそのコネクタ内でショート回路が構成されるコネクタを提供すること。【解決手段】複数の端子が上段と下段にそれぞれ配設され相対向して嵌合する雄雌のコネクタハウジング１３のいずれか一方には、コネクタ非嵌合時に上段左右端に位置する２つの端子に弾性的に接触して両端子を導通させる第１ショート金具１４と、下段左右端に位置する２つの端子に弾性的に接触して両端子を導通させる第２ショート金具１５とが装着され、他方のコネクタハウジングにはコネクタ嵌合時に前記短絡された端子とショート金具の接触部にそれぞれ嵌入してその導通を解除するリブを設けた。【選択図】　図２
2004055470.tif 000002
【特許請求の範囲】
【請求項１】
複数の端子が上段と下段にそれぞれ配設され相対向して嵌合する雄雌のコネクタハウジングのいずれか一方には、コネクタ非嵌合時に上段左右端に位置する２つの端子に弾性的に接触して両端子を導通させる第１ショート金具と、下段左右端に位置する２つの端子に弾性的に接触して両端子を導通させる第２ショート金具とが装着され、他方のコネクタハウジングにはコネクタ嵌合時に前記短絡された端子とショート金具の接触部にそれぞれ嵌入してその導通を解除するリブが設けられたことを特徴とするコネクタ。
【請求項２】
前記一方のコネクタハウジングに装着される第１ショート金具はそのコネクタハウジングの上面とその上面左右から上段左右端に位置する２つの端子収容室にそれぞれ通ずる溝を介して両端子間を導通するように配設され、第２ショート金具はそのコネクタハウジングの下面とその下面左右から下段左右端に位置する２つの端子収容室にそれぞれ通ずる溝を介して両端子間を導通するように配設されるとともに、該溝には嵌合面にそれぞれ開口した嵌入口が形成され、前記他方のコネクタハウジングに設けられたリブはこれら嵌入口に嵌入されることを特徴とする請求項１に記載のコネクタ。
【請求項３】
前記一方のコネクタハウジングには、第１ショート金具と第２ショート金具の端子接触部を端子と接触する方向に弾性的に押圧するバネ部が設けられていることを特徴とする請求項１又は２に記載のコネクタ。
【請求項４】
前記一方のコネクタハウジング内部に収容された端子の収容位置が正規であるかを検知して端子の半挿入を防止するリテーナが備えられ、このリテーナに前記バネ部が形成されていることを特徴とする請求項３に記載のコネクタ。
【請求項５】
前記一方のコネクタハウジング内部に収容された端子の収容位置が正規であるかを検知して端子の半挿入を防止するリテーナが備えられ、このリテーナに第１ショート金具と第２ショート金具が装着されていることを特徴とする請求項１に記載のコネクタ。
【請求項６】
複数の端子が上段と下段にそれぞれ配設され相対向して嵌合する雄雌のコネクタハウジングのいずれか一方には、そのコネクタハウジングの上面から上段で隣り合うに２つの端子収容室にそれぞれ連通して開口された金具挿入孔に挿入された第１の２つのショート金具と、同じくそのコネクタハウジングの下面から下段で隣り合うに２つの端子収容室にそれぞれ連通して開口された金具挿入孔に挿入された第２の２つのショート金具とが設けられ、挿入された上段の２つショート金具の挿入端はそれぞれ隣り合う端子に接触されており、コネクタハウジング上面に位置する他端同士はコネクタの非嵌合時には互いに弾性的に接触して隣り合う端子が導通され、同じく挿入された下段の２つショート金具の挿入端はそれぞれ隣り合う端子に接触されており、コネクタハウジング下面に位置する他端同士はコネクタの非嵌合時には互いに弾性的に接触して隣り合う端子が導通されるとともに、他方のコネクタハウジングにはコネクタ嵌合時に前記一方のコネクタハウジング上面及び下面位置で接触されたショート金具のその接触を解除するリブが設けられたことを特徴とするコネクタ。
【発明の詳細な説明】
【０００１】
【発明の属する技術分野】
本発明は、相対向して嵌合されるコネクタハウジングの一方に、該コネクタハウジング内に収容されている複数の端子相互間を電気接続する短絡部材を備え、他方のコネクタとの嵌合時に上記短絡が解除される構成としたコネクタに関し、特に、自動車用ワイヤハーネスにおける車載ＬＡＮ（ローカル・エリア・ネットワーク）に用いられるコネクタに関するものである。
【０００２】
【従来の技術】
近年、カーナビゲーションシステム等の自動車に車載される電気機器等をシールドがないツイストペア線と通常のコネクタを使用して車載ネットワークを構成することがある。車載ネットワークでは機器との接続を図１９（ａ）の概略図に示すようなリング状にＬＡＮの構成をする場合がある。
【０００３】
図示されるリング状のＬＡＮの構成では、機器１００〜６００がツイストペア線で接続されている。図１９（ａ）の機器１００は機器２００とツイストペア線２０１で、機器６００とツイストペア線６０１と接続されて送受信が行われている。２つのツイストペア線２０１，６０１はコネクタ１０１を介して機器１００に接続されている。このコネクタ１０１としては例えば図２０に示すようなものが用いられている。このコネクタ１０１は機器１００に備えられるプリント基板Ｐに取り付けられた基板コネクタ１０２と、ツイストペア線２０１，６０１等の電線に接続された電線コネクタ１０３とで構成されている。
【０００４】
通常、ツイストペア線２０１，６０１のプラスとマイナスの信号はたとえば上段にプラス、下段にマイナスというように配置され、他の機器からの送信・受信の２系統としてリングを構成するような場合は、クロストークの影響をなくすためコネクタの端にそれぞれ配置される場合が多い。この電線コネクタ１０３においても、ツイストペア線２０１のプラス側は上段左端に位置する電線端子Ａに接続され、マイナス側は下段左端に位置する電線端子Ｂに接続されている。同様にツイストペア線６０１のプラス側は上段右端に位置する電線端子Ｇに接続され、マイナス側は下段右端に位置する電線端子Ｈに接続されている。
【０００５】
この場合、図１９（ｂ）に示すようにメンテナンス等のために機器１００が外されると、リング状のＬＡＮの構成がコネクタ１０１のところで途切れてしまう。そこでこのようなリング回路を保つように図２１に概略図を示すショート用のコネクタ９０が用意され、これを機器１００から外されたコネクタ１０１の電線コネクタ１０３に嵌め込むことによりＬＡＮの構成を維持することが図られてきた。
【０００６】
【発明が解決しようとする課題】
しかしながら、この外された電線コネクタ１０３に嵌合可能なショート用コネクタ９０を専用に用意するのはコストアップになり、またメンテナンス等の度に付けたり外したりの作業も煩雑であった。
【０００７】
そこで、本発明が解決しようとする課題は、このようなショート用コネクタを要することなく、コネクタが機器から外されるとその外されたコネクタ内でショート回路が構成されるコネクタを提供することである。
【０００８】
【課題を解決するための手段】
この課題を解決するため本発明に係る請求項１に記載のコネクタは、複数の端子が上段と下段にそれぞれ配設され相対向して嵌合する雄雌のコネクタハウジングのいずれか一方には、コネクタ非嵌合時に上段左右端に位置する２つの端子に弾性的に接触して両端子を導通させる第１ショート金具と、下段左右端に位置する２つの端子に弾性的に接触して両端子を導通させる第２ショート金具とが装着され、他方のコネクタハウジングにはコネクタ嵌合時に前記短絡された端子とショート金具の接触部にそれぞれ嵌入してその導通を解除するリブが設けられたことを要旨とするものである。
【０００９】
上記構成を有するコネクタによれば、コネクタ非嵌合時に上段左右端に位置する２つの端子に弾性的に接触して両端子を導通させる第１ショート金具と、下段左右端に位置する２つの端子に弾性的に接触して両端子を導通させる第２ショート金具とが装着されているので、前述の図２０に示すようなコネクタの上段と下段の端にＬＡＮ用の端子が備えられているコネクタに適用すれば、コネクタを外すと同時に上段左右端に位置する２つの端子と下段左右端に位置する２つの端子は第１ショート金具と第２ショート金具とによってそれぞれ短絡されるので、ショート用のコネクタを要することなく、非嵌合時でもリング回路の構成を維持することができる。
【００１０】
この場合、請求項２に記載のように前記一方のコネクタハウジングに装着される第１ショート金具はそのコネクタハウジングの上面とその上面左右から上段左右端に位置する２つの端子収容室にそれぞれ通ずる溝を介して両端子間を導通するように配設され、第２ショート金具はそのコネクタハウジングの下面とその下面左右から下段左右端に位置する２つの端子収容室にそれぞれ通ずる溝を介して両端子間を導通するように配設されるとともに、該溝には嵌合面にそれぞれ開口した嵌入口が形成され、前記他方のコネクタハウジングに設けられたリブはこれら嵌入口に嵌入される構成にすれば、簡易な構造で上段左右端に位置する２つの端子と下段左右端に位置する２つの端子をそれぞれ短絡することができ、さらに不要であればショート金具の脱着も容易な構造である。
【００１１】
さらに、請求項３に記載のように前記一方のコネクタハウジングには、第１ショート金具と第２ショート金具の端子接触部を端子と接触する方向に弾性的に押圧するバネ部が設けられている構成にすれば、ショート金具と端子との短絡接触の信頼性が向上する。この場合、請求項４に記載のように前記一方のコネクタハウジング内部に収容された端子の収容位置が正規であるかを検知して端子の半挿入を防止するリテーナが備えられ、このリテーナに前記バネ部が形成されている構成にしてもよい。
【００１２】
また、請求項５に記載のように、請求項１に記載のコネクタにおいて、前記一方のコネクタハウジング内部に収容された端子の収容位置が正規であるかを検知して端子の半挿入を防止するリテーナが備えられ、このリテーナに第１ショート金具と第２ショート金具が装着されている構成にしてもよい。
【００１３】
そして、請求項６に記載のコネクタは、複数の端子が上段と下段にそれぞれ配設され相対向して嵌合する雄雌のコネクタハウジングのいずれか一方には、そのコネクタハウジングの上面から上段で隣り合うに２つの端子収容室にそれぞれ連通して開口された金具挿入孔に挿入された第１の２つのショート金具と、同じくそのコネクタハウジングの下面から下段で隣り合うに２つの端子収容室にそれぞれ連通して開口された金具挿入孔に挿入された第２の２つのショート金具とが設けられ、挿入された上段の２つショート金具の挿入端はそれぞれ隣り合う端子に接触されており、コネクタハウジング上面に位置する他端同士はコネクタの非嵌合時には互いに弾性的に接触することで隣り合う端子が導通され、同じく挿入された下段の２つショート金具の挿入端はそれぞれ隣り合う端子に接触されており、コネクタハウジング下面に位置する他端同士はコネクタの非嵌合時には互いに弾性的に接触することで隣り合う端子が導通されるとともに、他方のコネクタハウジングにはコネクタ嵌合時に前記一方のコネクタハウジング上面及び下面位置で接触されたショート金具同士の接触を解除するリブが設けられたことを要旨とするものである。
【００１４】
上記構成を有する同軸コネクタによれば、前述の図２０に示すようなコネクタとは違って、上段と下段においてそれぞれ隣り合うようにＬＡＮ用の端子が備えられているコネクタに適用されるもので、これもショート用のコネクタを要することなく、コネクタが非嵌合時でもリング回路の構成を維持することでき、さらに不要であればショート金具の脱着も容易な構造でもある。
【００１５】
【発明の実施の形態】
以下に、本発明に係るコネクタの実施の形態について図面を参照して詳細に説明する。尚、以下に説明する本発明に係るコネクタは、例えば図１９に示される機器１００〜６００がリング状にＬＡＮ接続された構成のうち、機器１００のコネクタ１０１として適用されるものである。先ず第１の実施形態について図１〜図８を用いてい説明する。
【００１６】
図１に示されるようにコネクタ１０は、図中左側のプリント基板Ｐに取り付けられている基板コネクタ１１と、図中右側の電線に接続されている電線コネクタ１２とで構成されている。図２は電線コネクタ１２の分解斜視図を示している。図５と図６はこの基板コネクタ１１と電線コネクタ１２の嵌合時と非嵌合時における上段の電線端子Ａ，Ｃ，Ｅ，Ｇ位置の横断面を示しており、図７と図８も同様に基板コネクタ１１と電線コネクタ１２の嵌合時と非嵌合時における下段の電線端子Ｂ，Ｄ，Ｆ，Ｈ位置の横断面を示している。
【００１７】
電線コネクタ１２は、図２に示されるようにハウジング１３と、Ａ〜Ｈの８つの電線端子と、これら電線端子Ａ〜Ｈのうちの電線端子Ａ，Ｇと電線端子Ｂ，Ｈをそれぞれ短絡するための第１ショート金具１４と第２ショート金具１５とで構成される。
【００１８】
図２の右上に示されるように、ハウジング１３の左端上下の端子収容室１７ａ，１７ｂに収容される電線端子Ａ，Ｂは、図１９における他の機器２００に接続されたツイストペア線２０１の端末部分に接続されており、このうち電線端子Ａの方がプラス極で、電線端子Ｂの方がマイナス極となっている。さらに、ハウジング１３の右端上下の端子収容室１７ｇ，１７ｈに収容される電線端子Ｇ、Ｈは同じく図１９における他の機器６００に接続されたツイストペア線６０１の端末部分に接続されており、このうち電線端子Ｇがプラス極で、電線端子Ｈがマイナス極となっている。尚、これら４つの電線端子Ａ，Ｂ，Ｇ，Ｈ以外の電線端子Ｃ，Ｄ，Ｅ，Ｆはプリント基板Ｐへの電源系の電線や、制御系の電線に接続されているもので、これらについての説明は省略する。
【００１９】
電線端子Ａ〜Ｈは、導電性の板材の板金加工に形成されたもので、いわゆる雌型の端子形状を有している。図３（ａ）に示されるように、筒状の本体部１６ａとその本体部１６ａから後方に延設された圧着部１６ｂとを有しており、外被が剥ぎ取られた電線の導体線と外被にかしめ加工されて容易に外れないように接続されている。
【００２０】
２つのショート金具１４、１５も導電性の板材から板金加工により成形されたもので、前述のツイストペア線２０１に接続された電線端子Ａ，Ｂとツイストペア線６０１に接続された電線端子Ｇ，Ｈの同極同士をハウジング１３内で短絡接続させるためのもので、ハウジング１３に装着可能になっている。
【００２１】
ハウジング１３上段の左右両端に位置する電線端子Ａ，Ｇを短絡するための第１ショート金具１４と、下段の左右両端に位置する電線端子Ｂ，Ｈを短絡するための第２ショート端子１５は、共に同一形状を有しており、この場合、第２ショート金具１５は第１ショート金具１４を上下逆さにしたものである。図２中の第２ショート金具１５について説明すると、Ｕ字形状の連結部１５ａの左右の端部から後方に延設された接触片１５ｂ，１５ｃが備えられている。この接触片１５ｂ，１５ｃは内側に湾曲して形成されており、電線端子Ｂの左側面に接触片１５ｂが、電線端子Ｈの右側面に接触片１５ｃが回り込むようにして弾性的に接触するようになっている（図８参照）。もう一方の第１ショート端子１４についても同様で、逆Ｕ字形状の連結部１４ａの左右の端部から後方に延設された接触片１４ｂ，１４ｃが備えられ、電線端子Ａの左側面に接触片１４ｂが、電線端子Ｇの右側面に接触片１４ｃが回り込むようにして弾性的に接触するようになっている（図６参照）。
【００２２】
第１ショート金具１４と第２ショート金具１５の連結部１４ａ，１５ａの中央からは係合爪１４ｄ，１５ｄがそれぞれ設けられており、ハウジング１３に装着する際に所定の部分に係合して容易に外れないように固定される。この場合、図示されるように第１ショート端子１４の係合爪１４ｄはハウジング１３上面のロック部１３ａの根元に係合して固定され、第２ショート端子１５の係合爪１５ｄはハウジング１３下面の図示しない凸部に係合して固定される。
【００２３】
ハウジング１３は、絶縁性の合成樹脂材により成形されており、図示されるように上段に４つ、下段に４つの計８つの電線端子Ａ〜Ｈを収容可能な端子収容室１７ａ〜１７ｈを備えており、電線端子Ａ〜Ｈは後方から挿入されて固定される。
【００２４】
ハウジング１３の手前側の上面左右から上段左右端に位置する２つの端子収容室１７ａ，１７ｇにそれぞれ通ずる溝１３ｂ，１３ｃがハウジング１３前面に開口して形成されており、前述の第１ショート金具１４の接触片１４ｂ，１４ｃが収容されるようになっている。同様に、ハウジング１３の手前側の下面左右からも下段左右端に位置する２つの端子収容室１７ｂ，１７ｈにそれぞれ通ずる溝１３ｄ，１３ｅがハウジング１３前面に開口して形成されており、前述の第２ショート金具１５の接触片１５ｂ，１５ｃが収容されるようになっている。図６及び図８に示されるように、第１ショート端子１４はハウジング１３に装着されると、その接触片１４ｂ，１４ｃが上段の溝１３ｂ，１３ｃから端子収容室１７ａ、１７ｇ内の電線端子Ａ、Ｇに弾性的に接触し、第２ショート金具１５はハウジング１３に装着されると、その接触片１５ｂ，１５ｃが下段の溝１３ｄ，１３ｅから端子収容室１７ｂ，１７ｈ内の電線端子Ｂ，Ｈに弾性的に接触する。
【００２５】
また、ハウジング１３の上面には、電線コネクタ１２が後述する基板コネクタ１１と嵌合するときに、基板コネクタ１１のハウジング２１の上壁に係合するロック部１３が設けられており、基板コネクタ１１から容易に外れないようにされる。
【００２６】
このようなハウジング１３には、ハウジング１３に収容された電線端子Ａ〜Ｈの収容位置が正規であるかを検知して端子の半挿入を防止するためのリテーナ１９が下から装着されている。図３（ｂ）に外観斜視図が示されるリテーナ１９は、ハウジング１３と同様に絶縁性の合成樹脂材により成形されており、平板状の基部１９ａの上には、ハウジング１３の図示しない係合部に係合するための仮係合片１９ｂ，本係合片１９ｃと、半挿入検知用のブロック１９ｄと、バネ部１９ｆ，１９ｇを有する側板１９ｅ，１９ｅが立設されている。手前側の仮係合片１９ｂはハウジング１３との仮係止位置でハウジング１３に係合するためのもので、本係合片１９ｃは、ハウジング１３との本係止位置でハウジング１３に係合するためのものである。
【００２７】
基部１９ａの奥側中央に立設されたブロック１９ｄには、電線端子Ａ〜Ｈが遊挿される８つの挿通孔１９ｈ，１９ｈ，・・が形成されており、リテーナ１９が仮係止位置では電線端子Ａ〜Ｈの端子収容室１７ａ〜１７ｈへの挿入を許容し、リテーナ１９が押し上げられた本係止位置では挿通孔１９ｈ，１９ｈ，・・下端部が電線端子Ａ〜Ｈの本体部１６ａの後端に係合するようになっている。これにより、電線端子Ａ〜Ｈの抜けを防止する機能を有するとともに、電線端子Ａ〜Ｈのいずれか１つでも端子収容室１７ａ〜１７ｈの正規の位置に挿入されていないと、ブロック１９ｄの挿通孔１９ｇの下端部が電線端子の本体部１６ａに当たってリテーナ１９の本係止位置への押し上げ移動が規制されるので、電線端子のハウジング１３への半挿入を検知する機能も併せ持つ。
【００２８】
リテーナ１９の左右端部に立設された側板１９ｅ，１９ｅに設けられたバネ部１９ｆ，１９ｇは、図５〜図８の断面図に示されるように、第１ショート金具１４と第２ショート金具１５の接触片１４ｂ，１４ｃ，１５ｂ，１５ｃを短絡接触される電線端子との接触方向に弾性的に押圧するためのもので、ショート金具１４，１５の電線端子への接触の信頼性を向上させる。
【００２９】
このような構成の電線コネクタ１２は、図６及び図８に示されるように相手方の基板コネクタ１１から外された状態（非嵌合時）では図示されるように、電線端子Ａと電線端子Ｇは第１ショート金具１４によって、電線端子Ｂと電線端子Ｈは第２ショート端子１５によって短絡接続されている。つまり非嵌合時では、このように電線コネクタ１２内で電線端子Ａ，Ｇと電線端子Ｂ，Ｈが短絡接続されているので、これら電線端子に接続されているツイストペア線２０１とツイストペア線６０１の同極同士が接続される。
【００３０】
次に、プリント基板Ｐに取り付けられている基板コネクタ１１について、図１の後からの外観図と図４の前からの外観図を参照して説明する。図示されるように基板コネクタ１１は、ハウジング２１と大小２種類の逆Ｌ字形状の基板端子２２ａ〜２２ｈとで構成される。
【００３１】
電線コネクタ１２の電線端子Ａ〜Ｈにそれぞれ対応する基板端子２２ａ〜２２ｈは、導電性の板材の板金加工に形成されたもので、いわゆる雄型の端子形状を有している。上段の４つの基板端子２２ａ，２２ｃ，２２ｅ，２２ｇは大きい方が用いられ、下段の４つの基板端子２２ｂ，２２ｄ，２２ｆ，２２ｈは小さい方が用いられている。ハウジング２１のコネクタ収容室２１ａ内で突出された基板端子のタブ部２３ａは嵌合接続の相手方となる電線端子Ａ〜Ｈの本体部１６ａ内に嵌入される。ハウジング２１の後方で垂下された基板端子の垂下部２３ｂは、プリント基板Ｐ上にプリントされた回路に接続されている。
【００３２】
ハウジング２１は、絶縁性の合成樹脂材により成形されており、前述の電線コネクタ１２が嵌り込むコネクタ収容室２１ａが図４に示すように形成されている。このコネクタ収容室２１ａには、基板端子２２ａ〜２２ｈのタブ部２３ａが突出するように設けられている。また、コネクタ収容室２１ａの奥壁の基板端子２２ａ，２２ｂと基板端子２２ｇ，２２ｈの外側の位置からは、４つのリブ２４ａ，２４ｂ，２４ｃ，２４ｄが突出して形成されている。また、ハウジング２１の上壁には電線コネクタ２１のハウジング１３に設けられたロック部１３ａの突部１３ｂが係合される図示しない係合部が形成されており、電線コネクタ１２が嵌合されると基板コネクタ１１から容易に外れないようにされる。
【００３３】
図５に示すようにコネクタ嵌合時には、上側のリブ部２４ａ，２４ｂがハウジング１３の上の溝１３ｂ，１３ｃ内にある第１ショート金具１４の接触片１４ｂ，１４ｃと電線端子Ａ，Ｇの外壁面との接触部位に割り込むように嵌入されるのと同時に、図７に示すように下側のリブ部２４ｃ，２４ｄもハウジング１３の下の溝１３ｄ，１３ｅ内にある第２ショート金具１５の接触片１５ｂ，１５ｃと電線端子Ｂ，Ｈの外壁面との接触部位に割り込むように嵌入される。
【００３４】
このように基板コネクタ１１のハウジング２１に形成されたリブ２４ａ〜２４ｄが嵌入されることにより、図５及び図７に示すように、基板コネクタ１１と電線コネクタ１２の嵌合時は、電線端子Ａ，Ｇ及び電線端子Ｂ，Ｈの短絡接続が解除されるので、ツイストペア線２０１とツイストペア線６０１はプリント基板Ｐの回路に接続される。
【００３５】
図６及び図８に示すように、基板コネクタ１１から電線コネクタ１２を外すと、リテーナ１９のバネ部１９ｆ，１９ｇ及びショート金具１４，１５の接触片１４ｂ，１４ｃ，１５ｂ，１５ｃは内側に向かって復帰変形するので、前述の通り、第１ショート金具１４の接触片１４ｂ，１４ｃは上段の電線端子Ａ，Ｇの外側壁面に接触して両電線端子を短絡し、第２ショート金具１５の接触片１５ｂ，１５ｃは下段の電線端子Ｂ，Ｈの外側壁面に接触して両電線端子を短絡する。このようにコネクタ非嵌合時は、ツイストペア線２０１とツイストペア線６０１の同極同士が接続されるので、機器２００と機器６００がツイストペア線２０１，６０１を介して電気信号の受け渡しが可能になる。
【００３６】
次に、図９〜図１５を用いて第２に実施形態のコネクタについて説明する。尚、前述の第１の実施形態と同一の構成については同符号を付して説明は省略する。
【００３７】
図９に示されるこのコネクタ３０も、図中左側のプリント基板Ｐに取り付けられている基板コネクタ３１と、図中右側の電線に接続されている電線コネクタ３２とで構成されている。電線コネクタ３２に収容されている電線端子Ａ〜Ｈ及びツイストペア線２０１，６０１の構成は第１の実施の形態のものと同じ構成である。また、基板コネクタ３１も第１の実施の形態の基板コネクタ１１とほぼ同じ構成である。図１２と図１３はこの基板コネクタ３１と電線コネクタ３２の嵌合時と非嵌合時における上段の電線端子Ａ，Ｃ，Ｅ，Ｇ位置の横断面を示しており、図１４と図１５も同様に基板コネクタ３１と電線コネクタ３２の嵌合時と非嵌合時における下段の電線端子Ｂ，Ｄ，Ｆ，Ｈ位置の横断面を示している。
【００３８】
電線コネクタ３２のハウジング３７に収容されている電線端子Ａ，Ｇと電線端子Ｂ，Ｈを非嵌合時に短絡する部材は、リテーナ３３に取り付けられている。図１０に示すようにリテーナ３３には、電線端子短絡用のショート金具３４，３５が備えられている。図１１（ａ）はリテーナ３３にこのショート金具３４，３５を取り付ける前の状態が示されている。図示されるようにショート金具３４，３５は大小のＵ字形状を有したもので、導電性板材の板金加工により成形されている。このうち、大きい方の第１ショート金具３４が電線コネクタ３２の上段に位置する電線端子Ａ，Ｇを短絡し、小さい方の第２ショート金具３５が下段に位置する電線端子Ｂ，Ｈを短絡するためのものである。
【００３９】
この第１ショート金具３４の連結部３４ａの左右上方に折り曲げ形成された接触片３４ｂ，３４ｃの先端には折り返すと内側に突出する接触突起３４ｄ，３４ｅが形成されており、この接触突起３４ｄ，３４ｅが電線端子Ａ，Ｇの外側壁面に接触するようになっている（図１３参照）。第２ショート金具３５の連結部３５ａの左右上方に折り曲げ形成された接触片３５ｂ，３５ｃの先端には内側に突出する接触突起３５ｄ，３５ｅが形成されており、この接触突起３５ｄ，３５ｅが電線端子Ｂ，Ｈの外側壁面に接触するようになっている（図１５参照）。
【００４０】
このようなショート金具３４，３５が取り付けられるリテーナ３３の基部３３ａの手前側には、第１ショート金具３４の左右の接触片３４ｂ，３４ｃが挿入される挿入孔３３ｂ，３３ｂが形成され（片側のみ図示）、さらにその挿入孔３３ｂ，３３ｂの内側位置には、第２ショート金具３５の左右の接触片３５ｂ，３５ｃが挿入される挿入孔３３ｃ，３３ｃが並んで形成されている（片側のみ図示）。
【００４１】
リテーナ３３の左右側壁３３ｄ，３３ｄにはそれぞれ内側に湾曲して形成されたバネ部３３ｅ，３３ｆが設けられており、このバネ部３３ｅ，３３ｆの先端部分の内側壁面には第１ショート金具３４及び第２ショート金具３５の接触片３４ｂ，３４ｃ，３５ｂ，３５ｃの先端が係合される係合溝３３ｇ，３３ｈが上下の位置で凹設されている（片側のみ図示）。
【００４２】
第２ショート金具３５のリテーナ３３への取り付けは図１１（ａ）に示されるように、その左右の接触片３５ｂ，３５ｃを挿入孔３３ｃ，３３ｃに挿入してその先端をバネ部３３ｅ，３３ｆ下側の係合溝３３ｈに係合させて取り付けられる。第１ショート金具３４のリテーナ３３への取り付けは、その左右の接触片３４ｂ，３４ｃを挿入孔３３ｂ，３３ｂに挿入してその先端をバネ部３３ｅ，３３ｆの外側を一旦通り過ぎた後、先端を内側に折り曲げてバネ部３３ｅ，３３ｆ上側の係合溝３３ｇに係合させて取り付けられる。リテーナ３３に取り付けられた状態の第１ショート金具３５は図１１（ｂ）のようになる。
【００４３】
図９に示す電線コネクタ３２のハウジング３７には、ハウジング１３の上段左右端に位置する２つの端子収容室１７ａ，１７ｇにそれぞれ通ずる溝３７ａ，３７ｂがハウジング３７の前面から開口して形成され、同じく下段左右端に位置する２つの端子収容室１７ｂ，１７ｈにそれぞれ通ずる溝３７ｃ，３７ｄがハウジング３７の前面から開口して形成されている（図１３及び図１５参照）。
【００４４】
基板コネクタ３１は前述の第１実施形態で説明した基板コネクタ１１の構成とほぼ同じで、コネクタ収容室２１ａの奥側の壁面からはリブ２４ａ〜２４ｄが突出して設けられている。コネクタ嵌合時には図１２に示すように、基板コネクタ３１の上側のリブ部２４ａ，２４ｂが、電線コネクタ３２のハウジング３７の上の溝３７ａ，３７ｂ内に挿入されると、リブ２４ａ，２４ｂによりリテーナ３３のバネ部３３ｅ，３３ｆが外側に押しのけられて、第１ショート金具３４の接触片３４ｂ，３４ｃが上段の電線端子Ａ，Ｇの外壁面より離間される。同じく、図１４に示すように、基板コネクタ３１の下側のリブ部２４ｃ，２４ｄが、電線コネクタ３２のハウジング３７の下の溝３７ｃ，３７ｄ内に挿入されると、リブ２４ｃ，２４ｄによりリテーナ３３のバネ部３３ｅ，３３ｆが外側に押しのけられて、第２ショート金具３５の接触片３５ｂ，３５ｃは下段の電線端子Ｂ，Ｈの外壁面より離間される。この状態では機器２００と接続されたツイストペア線２０１と機器６００に接続されたツイストペア線６０１はプリント基板Ｐの回路に接続される。
【００４５】
そして、基板コネクタ３１から電線コネクタ３２を外すと、リテーナ３３のバネ部３３ｅ，３３ｆは内側に向かって復帰変形するので、図１３に示すように第１ショート金具３４の接触片３４ｂ，３４ｃは上段の電線端子Ａ，Ｇの外側壁面に接触して両電線端子を短絡し、図１５に示すように第２ショート金具３５の接触片３５ｂ，３５ｃは下段の電線端子Ｂ，Ｈの外側壁面に接触して両電線端子を短絡する。このようにコネクタ非嵌合時は、ツイストペア線２０１とツイストペア線６０１の同極同士が接続されるので、機器２００と機器６００がツイストペア線２０１，６０１を介して電気信号の受け渡しが可能になる。
【００４６】
次に、図１６〜図１８を用いて本発明に係る第３に実施形態について説明する。前述した第１及び第２の実施の形態では、コネクタの左右両端に位置する電線端子をコネクタ非嵌合時に短絡する構造のものを示したが、この第３の実施の形態に係るコネクタは上段と下段でそれぞれ隣り合う電線端子をコネクタ非嵌合時に短絡する構造のものである。
【００４７】
図１６に示されるように、この電線コネクタ４２では、上段に５つ、下段に５つの電線端子Ａ〜Ｊがハウジング４３の端子収容室４４ａ〜４４Ｊに収容可能になっている。この場合、機器２００と接続されたツイストペア線２０１の端末部分は右から２番目の電線端子Ｇ，Ｈに接続されており、このうち電線端子Ｇがプラス極で、電線端子Ｈがマイナス極となっている。また、機器６００と接続されたツイストペア線６０１の端末部分は、右から１番目の電線端子Ｉ，Ｊに接続されており、このうち電線端子Ｉがプラス極で、電線端子Ｊがマイナス極となっている。
【００４８】
このようにハウジング４３の上段で隣り合うに２つの端子収容室４４ｇ，４４ｉには、ハウジング上面から連通して開口された金具挿入孔４５ａ，４５ｂが形成されており、図示しないが、ハウジング４３の下面からも同様に下段で隣り合うように２つの端子収容室４４ｈ，４４ｊにそれぞれ連通して開口された金具挿入孔が形成されている。
【００４９】
上の金具挿入孔４５ａ，４５ｂに挿入される第１の２つのショート金具４６，４７は図示されるように、導電性板材の板金加工により成形されたもので、左のショート金具４６の方は、内側に突出した接触突起４６ｂを有する挿入片４６ａの上部から右に折り曲げられた連結部４６ｃからさらに後方に湾曲して延設された弾性接触片４６ｄを有した形状となっている。右のショート金具４７の方も、内側に突出した接触突起４７ｂを有する挿入片４７ａが左のショート金具４６の挿入片４６ａよりも長めに形成され、その上部から左に折り曲げられた接触片４７ｃが設けられた形状を有している。図示しない下の金具挿入孔に挿入される第２の２つのショート金具４８，４９は、第１のショート金具４６，４７を上下逆さに用いたもので、ショート金具４８はショート金具４７と同一の形状及びショート金具４９はショート金具４６と同一の形状を有しているので、第１のショート金具４６，４７の構成と同一の符号が付されている。
【００５０】
図１７（ａ）に示されるように、この第１の２つのショート金具４６，４７と図示しないが第２の２つのショート金具４８，４９がハウジング４３に装着されると、ハウジング４３内部の電線端子Ｇ，Ｉと電線端子Ｈ，Ｊに対して図１７（ｂ）に示すような状態になる。図示されるように第１のショート金具４６の挿入片４６ａの接触突起４６ｂが電線端子Ｇの左側面から接触し、もう一方のショート金具４７の挿入片４７ａの接触突起４７ｂが電線端子Ｉの右側面から接触する。同様に、第２のショート金具４８の挿入片４７ａの接触突起４７ｂが電線端子Ｈの左側面から接触し、もう一方のショート金具４９の挿入片４６ａの接触突起４６ｂが電線端子のＪ右側面から接触する。
【００５１】
このとき、第１の左のショート金具４６の湾曲した弾性接触片４６ｄは、右のショート金具４７の接触片４７ｃの下方から弾性的に接触しているので、隣り合う電線端子Ｇ，Ｉは短絡される。同じく、第２の右のショート金具４９の湾曲した弾性接触片４６ｄは、左のショート金具４８の接触片４７ｃの上方から弾性的に接触しているので、この場合も隣り合う電線端子Ｈ，Ｊは短絡される。このようにコネクタの非嵌合時は、第１の２つのショート金具４６，４７及び第２の２つのショート金具４８，４９によってツイストペア線２０１とツイストペア線６０１の同極同士が接続される。
【００５２】
図１８はこのような電線コネクタ４２と嵌合の相手側となる基板コネクタ４１の嵌合時と非嵌合時の縦断面を示している。図１８（ａ）されるように、嵌合時には、基板コネクタ４１のハウジング４８の上壁と下壁に設けられたリブ４１ａ，４１ｂにより、上の第１のショート端子４６の弾性接触片４６ｄは押し下げられ、下の第２ショート端子４９の弾性接触片４６ｄは押し上げられて、ショート金具による短絡接続は解除される。この状態ではツイストペア線２０１とツイストペア線６０１はプリント基板Ｐの回路に接続される。
【００５３】
基板コネクタ４１から電線コネクタ４２を外すと、前述したとおり図１８（ｂ）のように、基板コネクタ４１のリブ部４１ａ，４１ｂによる第１ショート端子４６の弾性接触片４６ｄの押し下げ及び第２ショート端子４９の弾性接触片４６ｄの押し上げがなくなるので、それぞれの弾性接触片４６ｄは復帰変形して隣り合う電線端子Ｇ，Ｉと電線端子Ｈ，Ｊは短絡接続される。
【００５４】
以上説明したように、基板コネクタから電線コネクタが外されると、電線コネクタ内で所望の電線端子が短絡されて、その電線端子に接続されたツイストペア線同士が接続される構造なので、例えば図１９のような機器がリング状にＬＡＮ接続された回路において、機器１００を介して機器２００と機器６００の電気信号の送受信が行われる場合のコネクタ１０１として用いれば、機器１００から電線コネクタ１０３が外された場合でも、その電線コネクタ１０３内で送受信のためのツイストペア線が短絡接続されるため、メンテナス等で機器１００をリング状の回路から外しても、機器２００と機器６００の送受信が可能なり、ＬＡＮの構成が維持されるため、別途専用のショートコネクタを用意する必要がなく便利である。
【００５５】
尚、本発明はこうした実施形態に何ら限定されるものではなく、本発明の要旨を逸脱しない範囲において、種々なる態様で実施できることは勿論である。例えば、上記の実施の形態では基板コネクタと電線コネクタの構成を示したが、電線コネクタ同士の構成に適用することは可能である。また、メス型の電線端子を短絡する構成を示したが、もちろん雄型の電線端子を短絡する構成に適用することができるのは言うまでもない。
【００５６】
【発明の効果】
本発明に係るコネクタによれば、コネクタ非嵌合時に上段左右端に位置する２つの端子に弾性的に接触して両端子を導通させる第１ショート金具と、下段左右端に位置する２つの端子に弾性的に接触して両端子を導通させる第２ショート金具とが装着されているので、コネクタの上段と下段の端にＬＡＮ用の端子が備えられているコネクタに適用すれば、コネクタを外すと同時に上段左右端に位置する２つの端子と下段左右端に位置する２つの端子は第１ショート金具と第２ショート金具とによってそれぞれ短絡されるので、ショート用のコネクタを要することなく、非嵌合時でもＬＡＮの構成を維持することできる。
【図面の簡単な説明】
【図１】本発明の第１の実施形態に係るコネクタを構成する基板コネクタと電線コネクタの嵌合前の外観斜視図である。
【図２】図１の電線コネクタの分解斜視図である。
【図３】（ａ）は電線に接続された電線端子の外観斜視図、（ｂ）は電線コネクタに備えられるリテーナの外観斜視図である。
【図４】本発明の第１の実施形態に係る基板コネクタの前方からの外観斜視図である。
【図５】本発明の第１の実施形態に係る嵌合時のコネクタ上段に位置する電線端子部分の横断面図である。
【図６】本発明の第１の実施形態に係る非嵌合時のコネクタ上段に位置する電線端子部分の横断面図である。
【図７】本発明の第１の実施形態に係る嵌合時のコネクタ下段に位置する電線端子部分の横断面図である。
【図８】本発明の第１の実施形態に係る非嵌合時のコネクタ下段に位置する電線端子部分の横断面図である。
【図９】本発明の第２の実施形態に係るコネクタを構成する基板コネクタと電線コネクタの嵌合前の外観斜視図である。
【図１０】本発明の第２の実施形態に係る電線コネクタに備えられるリテーナの外観斜視図である。
【図１１】（ａ）は本発明の第２の実施形態に係るリテーナへのショート金具の取り付けを示した図、（ｂ）はリテーナに取り付けられた第１のショート金具の状態を示した図である。
【図１２】本発明の第２の実施形態に係る嵌合時のコネクタ上段に位置する電線端子部分の横断面図である。
【図１３】本発明の第２の実施形態に係る非嵌合時のコネクタ上段に位置する電線端子部分の横断面図である。
【図１４】本発明の第２の実施形態に係る嵌合時のコネクタ下段に位置する電線端子部分の横断面図である。
【図１５】本発明の第２の実施形態に係る非嵌合時のコネクタ下段に位置する電線端子部分の横断面図である。
【図１６】本発明の第３の実施形態に係る電線コネクタの分解斜視図である。
【図１７】（ａ）は本発明の第３の実施形態に係るショート金具の取り付けを示した図、（ｂ）は本発明の第３の実施形態に係るショート金具と電線端子との接触状態を示した図である。
【図１８】（ａ）本発明の第３の実施形態に係るコネクタの嵌合時の縦断面図、（ｂ）は非嵌合時の縦断面図である。
【図１９】（ａ）複数の機器がリング状にＬＡＮが構成される概略図、（ｂ）は機器が外された場合の概略図である。
【図２０】従来一般に用いられてきたコネクタを構成する基板コネクタと電線コネクタの外観斜視図である。
【図２１】ショート用のコネクタの概略図である。
【符号の説明】
１０　コネクタ
１１　基板コネクタ
１２　電線コネクタ
１３　ハウジング
１３ｂ〜１３ｅ　溝
１４　第１ショート金具
１４ａ　連結部
１４ｂ，１４ｃ　接触片
１５　第２ショート金具
１５ａ　連結部
１５ｂ，１５ｃ　接触片
１９　リテーナ
１９ｆ，１９ｇ　バネ部
２１　ハウジング
２４ａ，２４ｂ　リブ
１００〜６００　電気機器
２０１　受信用ツイストペア線
６０１　送信用ツイストペア線
Ａ〜Ｈ　電線端子
Ｐ　プリント基板
【図１】
2004055470.tif 000003
【図２】
2004055470.tif 000004
【図３】
2004055470.tif 000005
【図４】
2004055470.tif 000006
【図５】
2004055470.tif 000007
【図６】
2004055470.tif 000008
【図７】
2004055470.tif 000009
【図８】
2004055470.tif 000010
【図９】
2004055470.tif 000011
【図１０】
2004055470.tif 000012
【図１１】
2004055470.tif 000013
【図１２】
2004055470.tif 000014
【図１３】
2004055470.tif 000015
【図１４】
2004055470.tif 000016
【図１５】
2004055470.tif 000017
【図１６】
2004055470.tif 000018
【図１７】
2004055470.tif 000019
【図１８】
2004055470.tif 000020
【図１９】
2004055470.tif 000021
【図２０】
2004055470.tif 000022
【図２１】
2004055470.tif 000023